(57)【要約】【課題】内部の回路部分においてコネクタの接続部分に金属くずやほこり等が付着しにくくすることによりプラズマディスプレイ装置の信頼性を向上させる。【解決手段】放電空間を形成して対向する一対の基板上に複数列の表示電極とこの表示電極に交差するように対向配置される複数列のアドレス電極とを設けることにより構成された複数の放電セルを有するプラズマディスプレイパネル（ＰＤＰ）と、このＰＤＰの電極に表示データを供給するためのドライバ回路ブロックとを有し、ドライバ回路ブロックは、回路を構成する回路部品を搭載した回路基板３０と、ＰＤＰの電極に接続された複数のフレキシブル配線板３１と、回路基板に端子部３２ａを半田付けすることにより取り付けられかつ回路基板とフレキシブル配線板とを接続するためのコネクタ３２とを備え、かつ回路基板において、コネクタの半田付けされる端子部をフレキシブル配線板の下側にくるように配設した。【選択図】図３
2005084363.tif 000002
【特許請求の範囲】
【請求項１】
放電空間を形成して対向する一対の基板上に複数列の表示電極とこの表示電極に交差するように対向配置される複数列のアドレス電極とを設けることにより構成された複数の放電セルを有するプラズマディスプレイパネルと、このプラズマディスプレイパネルの電極に表示データを供給するためのドライバ回路ブロックとを有し、前記ドライバ回路ブロックは、回路を構成する回路部品を搭載した回路基板と、前記プラズマディスプレイパネルの電極に接続された複数のフレキシブル配線板と、前記回路基板に端子部を半田付けすることにより取り付けられかつ前記回路基板とフレキシブル配線板とを接続するためのコネクタとを備え、かつ前記回路基板において、コネクタの半田付けされる端子部をフレキシブル配線板の下側にくるように配設したことを特徴とするプラズマディスプレイ装置。
【請求項２】
フレキシブル配線板は、コネクタの端子部を覆う程度の幅であることを特徴とする請求項１に記載のプラズマディスプレイ装置。
【発明の詳細な説明】
【技術分野】
【０００１】
本発明は、大画面で、薄型、軽量のディスプレイ装置として知られているプラズマディスプレイ装置に関するものである。
【背景技術】
【０００２】
プラズマディスプレイ装置は、液晶パネルに比べて高速の表示が可能であり視野角が広いこと、大型化が容易であること、自発光型であるため表示品質が高いことなどの理由から、フラットパネルディスプレイ技術の中で最近特に注目を集めている。
【０００３】
一般に、このプラズマディスプレイ装置では、ガス放電により紫外線を発生させ、この紫外線で蛍光体を励起して発光させカラー表示を行っている。そして、基板上に隔壁によって区画された表示セルが設けられており、これに蛍光体層が形成されている構成を有する。
【０００４】
このプラズマディスプレイ装置には、大別して、駆動的にはＡＣ型とＤＣ型があり、放電形式では面放電型と対向放電型の２種類があるが、高精細化、大画面化および製造の簡便性から、現状では、プラズマディスプレイ装置の主流は、３電極構造の面放電型のもので、その構造は、一方の基板上に平行に隣接した表示電極対を有し、もう一方の基板上に表示電極と交差する方向に配列されたアドレス電極と、隔壁、蛍光体層を有するもので、比較的蛍光体層を厚くすることができ、蛍光体によるカラー表示に適している。
【０００５】
まず、プラズマディスプレイ装置におけるプラズマディスプレイパネルの構造について図６を用いて説明する。図６に示すように、ガラス基板などの透明な前面側の基板１上には、スキャン電極とサステイン電極とで対をなすストライプ状の表示電極２が複数列形成され、そしてその電極群を覆うように誘電体層３が形成され、その誘電体層３上には保護膜４が形成されている。
【０００６】
また、前記前面側の基板１に対向配置される背面側の基板５上には、スキャン電極およびサステイン電極の表示電極２と交差するように、オーバーコート層６で覆われた複数列のストライプ状のアドレス電極７が形成されている。このアドレス電極７間のオーバーコート層６上には、アドレス電極７と平行に複数の隔壁８が配置され、この隔壁８間の側面およびオーバーコート層６の表面に蛍光体層９が設けられている。
【０００７】
これらの基板１と基板５とは、スキャン電極およびサステイン電極の表示電極２とアドレス電極７とがほぼ直交するように、微小な放電空間を挟んで対向配置されるとともに、周囲が封止され、そして前記放電空間には、ヘリウム、ネオン、アルゴン、キセノンのうちの一種または混合ガスが放電ガスとして封入されている。また、放電空間は、隔壁８によって複数の区画に仕切ることにより、表示電極２とアドレス電極７との交点が位置する複数の放電セルが設けられ、その各放電セルには、赤色、緑色および青色となるように蛍光体層９が一色ずつ順次配置されている。
【０００８】
図７にこのプラズマディスプレイパネルの電極配列を示しており、図７に示すようにスキャン電極およびサステイン電極とアドレス電極とは、Ｍ行×Ｎ列のマトリックス構成であり、行方向にはＭ行のスキャン電極ＳＣＮ１〜ＳＣＮＭおよびサステイン電極ＳＵＳ１〜ＳＵＳＭが配列され、列方向にはＮ列のアドレス電極Ｄ１〜ＤＮが配列されている。
【０００９】
このような電極構成のプラズマディスプレイパネルにおいては、アドレス電極とスキャン電極の間に書き込みパルスを印加することにより、アドレス電極とスキャン電極の間でアドレス放電を行い、放電セルを選択した後、スキャン電極とサステイン電極との間に、交互に反転する周期的な維持パルスを印加することにより、スキャン電極とサステイン電極との間で維持放電を行い、所定の表示を行うものである。
【００１０】
このような構成のプラズマディスプレイ装置において、プラズマディスプレイのアドレス電極に表示データを供給する駆動回路部分は、プラズマディスプレイパネルの電極に表示データを供給するため、プラズマディスプレイパネルの電極にフレキシブル配線板を接続し、そのフレキシブル配線板を駆動回路部分のコネクタに接続する構成が用いられている。
【００１１】
なお、この出願の発明に関する先行技術文献情報としては、例えば特許文献１が知られている。
【特許文献１】特開平１１−１９４７１８号公報
【発明の開示】
【発明が解決しようとする課題】
【００１２】
ところで、このプラズマディスプレイ装置は、金属シャーシに各種基板を取り付け、また放熱のためキャビネットの上部には穴があいている。そのため、駆動回路部分に配設したコネクタにおいて、駆動回路の回路基板に半田付けする端子部分に金属くずやほこり等が付着しやすいという課題があった。
【００１３】
本発明はこのような課題に鑑みなされたもので、内部の回路部分においてコネクタの接続部分に金属くずやほこり等が付着しにくくすることによりプラズマディスプレイ装置の信頼性を向上させることを目的とする。
【課題を解決するための手段】
【００１４】
上記目的を達成するために本発明のプラズマディスプレイ装置は、放電空間を形成して対向する一対の基板上に複数列の表示電極とこの表示電極に交差するように対向配置される複数列のアドレス電極とを設けることにより構成された複数の放電セルを有するプラズマディスプレイパネルと、このプラズマディスプレイパネルの電極に表示データを供給するためのドライバ回路ブロックとを有し、前記ドライバ回路ブロックは、回路を構成する回路部品を搭載した回路基板と、前記プラズマディスプレイパネルの電極に接続された複数のフレキシブル配線板と、前記回路基板に端子部を半田付けすることにより取り付けられかつ前記回路基板とフレキシブル配線板とを接続するためのコネクタとを備え、かつ前記回路基板において、コネクタの半田付けされる端子部をフレキシブル配線板の下側にくるように配設したものである。
【００１５】
また、フレキシブル配線板は、コネクタの端子部を覆う程度の幅としたものである。
【発明の効果】
【００１６】
本発明によれば、内部の回路部分においてコネクタの接続部分に金属くずやほこり等が付着しにくくすることにより、プラズマディスプレイ装置の信頼性を向上させることができる。
【発明を実施するための最良の形態】
【００１７】
以下、本発明の一実施の形態によるプラズマディスプレイ装置について、図１〜図５を用いて説明するが、本発明の実施の態様はこれに限定されるものではない。
【００１８】
図１に本発明の一実施の形態によるプラズマディスプレイ装置の表示駆動回路の構成を示している。図１に示すように、プラズマディスプレイパネル（ＰＤＰ）１０、アドレスドライバ回路１１、スキャンドライバ回路１２、サステインドライバ回路１３、放電制御回路１４、画像処理部１５を備えている。
【００１９】
入力してきた映像信号を画像処理部１５を経由してアドレスドライバ回路１１にシリアルに出力する。アドレスドライバ回路１１はパラレルデータに変換し、そのパラレルデータに基づいて複数のアドレス電極に電圧を供給する。
【００２０】
放電制御回路１４は、放電制御タイミング信号ＳＣ、ＳＵを発生し、各々スキャンドライバ回路１２およびサステインドライバ回路１３に与える。スキャンドライバ回路１２は、放電制御回路１４から与えられる放電制御タイミング信号ＳＣに応答して複数のスキャン電極に順に駆動信号電圧を供給する。サステインドライバ回路１３は、放電制御回路１４から与えられる放電制御タイミング信号ＳＵに応答して複数のサステイン電極に順に駆動信号電圧を供給する。
【００２１】
上記のアドレス電極へ供給するデータ波形とスキャン電極へ供給する駆動信号波形により、ＰＤＰ１０においてアドレス放電を行い、放電セルを選択した後、スキャン電極とサステイン電極との間に、交互に反転する周期的な維持パルスを印加することにより、スキャン電極とサステイン電極との間で維持放電を行い、所定の表示を行うものである。
【００２２】
図２にプラズマディスプレイ装置の内部の配置構造を示している。図２において、スキャンドライバ回路ブロック２２はＰＤＰ１０のスキャン電極に所定の信号電圧を供給し、サステインドライバ回路ブロック２３はＰＤＰ１０のサステイン電極に所定の信号電圧を供給し、アドレスドライバ回路ブロック２１はＰＤＰ１０のアドレス電極に所定の表示データによる信号電圧を供給するもので、スキャンドライバ回路ブロック２２、サステインドライバ回路ブロック２３はシャーシ部材２４の幅方向の両端部にそれぞれ配置され、またアドレスドライバ回路ブロック２１はシャーシ部材２４の高さ方向の下端部に配置されている。
【００２３】
放電制御回路１４および画像処理部１５を有する制御回路ブロック２５は、テレビジョンチューナなどの外部機器に接続するための接続ケーブルが着脱可能に接続される入力端子部を備えた入力信号回路ブロック２６から送られる映像信号に基づき、画像データをパネルの画素数に応じた画像データ信号に変換してアドレスドライバ回路ブロック２１に供給すると共に、放電制御タイミング信号を発生し、各々スキャンドライバ回路ブロック２２およびサステインドライバ回路ブロック２３に供給し、階調制御などの表示駆動制御を行うもので、シャーシ部材２３のほぼ中央部に配置されている。
【００２４】
電源ブロック２７は、前記各回路ブロックに電圧を供給するもので、前記制御回路ブロック２５と同様、シャーシ部材２４のほぼ中央部に配置され、電源ケーブル（図示せず）が装着されるコネクタを有する電源入力ブロック２８を通して商用電源電圧が供給される。
【００２５】
図３、図４は本発明の一実施の形態によるプラズマディスプレイ装置において、アドレスドライバ回路ブロックの要部構成を示す図であり、図２〜図４において、アドレスドライバ回路ブロック２１は、回路を構成する回路部品を搭載した回路基板３０と、前記ＰＤＰ１０の電極に接続された複数のフレキシブル配線板３１と、前記回路基板３０に端子部３２ａを半田付けすることにより取り付けられかつ前記回路基板３０とフレキシブル配線板３１とを接続するためのコネクタ３２とを備えている。
【００２６】
また、前記回路基板３０において、コネクタ３２の半田付けされる端子部３２ａはフレキシブル配線板３１の下側にくるように配設されている。すなわち、コネクタ３２の半田付けされる端子部３２ａをフレキシブル配線板３１の下側にくるように配設することにより、コネクタ３２の端子部３２ａは、図２において下向きの位置でかつフレキシブル配線板３１に覆われるように、回路基板３０上に配置されることとなるため、コネクタ３２の端子部３２ａに金属くずやほこり等が付着しにくい構造となる。
【００２７】
図５は本発明の他の実施の形態による要部構造を示す図であり、この実施の形態においては、図４に示す例よりフレキシブル配線板３１の幅を広くし、より一層コネクタ３２の端子部３２ａを覆うように構成したものである。
【００２８】
このように本発明においては、簡単な構成により、駆動回路のコネクタの端子部に金属くずやほこり等が付着しにくい構造とすることができ、プラズマディスプレイ装置における信頼性をより向上させることができる。
【産業上の利用可能性】
【００２９】
以上のように本発明によれば、プラズマディスプレイ装置の信頼性を図る上で有用な構成を安価に提供することができる。
【図面の簡単な説明】
【００３０】
【図１】本発明の一実施の形態によるプラズマディスプレイ装置の表示駆動回路の一例を示すブロック回路図
【図２】同プラズマディスプレイ装置の内部の配置構造を示す平面図
【図３】同プラズマディスプレイ装置のアドレスドライバ回路の要部構成を示す側面図
【図４】同じく上面図
【図５】本発明の他の実施の形態によるプラズマディスプレイ装置の要部構成を示す上面図
【図６】プラズマディスプレイ装置のパネルの概略構成を示す斜視図
【図７】同プラズマディスプレイ装置のパネルの電極配列を示す説明図
【符号の説明】
【００３１】
２１  アドレスドライバ回路ブロック
３０  回路基板
３１  フレキシブル配線板
３２  コネクタ
３２ａ  端子部
【図１】
2005084363.tif 000003
【図２】
2005084363.tif 000004
【図３】
2005084363.tif 000005
【図４】
2005084363.tif 000006
【図５】
2005084363.tif 000007
【図６】
2005084363.tif 000008
【図７】
2005084363.tif 000009